(57)【特許請求の範囲】
【請求項１】
対向配置した基板間に複数の隔壁を設けるとともに、一方の基板上に前記隔壁と垂直な方向に複数の遮光層を設け、隣り合った前記隔壁と隣り合った前記遮光層とにより画定される領域に放電セルが構成されたプラズマディスプレイパネルにおいて、走査電極と維持電極とを間に放電ギャップを設けて前記遮光層間に形成するとともに、前記走査電極および前記維持電極はそれぞれ、所定の間隔をあけて配置された複数の透明電極を形成してなり、かつ前記複数の透明電極のうち、前記放電ギャップに近い内側の透明電極であって、前記放電セルに入射した外光が放電セル内で反射されることによる反射光をパネルの垂直方向から見たときにその反射光の強度が高い領域に位置する透明電極上に金属電極を設けたことを特徴とするプラズマディスプレイパネル。
【請求項２】
走査電極と維持電極とはそれぞれｎ個の透明電極を有し、かつｎ個の透明電極のうち放電ギャップ側から２番目ないし（ｎ−１）番目に位置する透明電極上に金属電極を設けたことを特徴とする請求項１に記載のプラズマディスプレイパネル。
【請求項３】
走査電極と維持電極との間の放電で流れる電流波形のピークが１つとなるように、透明電極間の間隔を設定したことを特徴とする請求項１または２に記載のプラズマディスプレイパネル。
【請求項４】
金属電極の幅Ｗｅが、１０μｍ≦Ｗｅ≦６０μｍであることを特徴とする請求項１または２に記載のプラズマディスプレイパネル。
【発明の詳細な説明】
【０００１】
【発明の属する技術分野】
本発明はコンピュータやテレビ等の画像表示装置に用いるプラズマディスプレイパネルに関するものである。
【０００２】
【従来の技術】
従来のプラズマディスプレイパネルは、図１０に示すような構成のものが一般的であり、前面基板１上には、走査電極２と維持電極３とで対を成すストライプ状の放電電極対が複数形成され、前面基板１上の隣り合う放電電極対間には遮光層（ブラックストライプ）４が配置形成されている。この走査電極２および維持電極３は、それぞれ透明電極２ａ、３ａおよびこの透明電極２ａ、３ａに電気的に接続された銀等のバス電極２ｂ、３ｂとから構成されており、バス電極２ｂ、３ｂはそれぞれ透明電極２ａ、３ａの遮光層４側の端部に配置されている。また、前面基板１には、放電電極対および遮光層４を覆うように鉛ガラス等からなる誘電体層５が形成され、その誘電体層５上には酸化マグネシウム（ＭｇＯ）蒸着膜等からなる保護膜６が形成されている。
【０００３】
また、前面基板１に対向配置される背面基板７上には、鉛ガラス等からなる絶縁体層８で覆われた複数のストライプ状のデータ電極９が形成されている。絶縁体層８上のデータ電極９間には、データ電極９と平行にストライプ状の複数の隔壁１０が配置され、この隔壁１０の側面および絶縁体層８の表面に蛍光体層１１が設けられている。
【０００４】
これらの前面基板１と背面基板７とは、走査電極２および維持電極３とデータ電極９とが直交するように、放電空間を挟んで対向配置されるとともに、周囲が封止され、そして放電空間には、ネオン（Ｎｅ）とキセノン（Ｘｅ）の混合ガスが放電ガスとして封入されている。また、放電空間は、隔壁１０によって複数の区画に仕切られており、放電電極対とデータ電極９との交差部に放電セルが形成され、その各放電セルには、赤色、緑色および青色に発光する蛍光体層１１が一色ずつ順次配置されている。放電電極対を構成している走査電極２と維持電極３との間に電圧を印加することにより、各放電セルで発生した放電により放射される紫外線が蛍光体層１１を励起し、表示発光を発生させて画像表示を行っている。
【０００５】
【発明が解決しようとする課題】
しかしながら上記従来の構成では、画像表示の際の輝度を増加させるために、透明電極２ａ、３ａを設けることによって電極面積を拡大させているが、これによって放電電流が増加し放電発生時のピーク電流が大幅に増加するので、駆動回路の負荷が増加するとともに、放電電流ピーク時の電力損失が増加することによって消費電力が増加するという課題を有していた。
【０００６】
また、従来の構成では、背面基板７上に形成された隔壁１０や蛍光体層１１が白色であるため外光反射が多く、コントラスト比が低下するという課題を有していた。さらに、黒色を表示する場合には外光反射による輝度が高いためＣＲＴに比べて画像表示時に黒色がグレーに近くなってしまっていた。このため、いくらピーク輝度を上げてコントラスト比を向上させても、映画などの暗い場面が多い映像ソースを表示させる場合には暗い部分の色が白っぽく浮き上がって見えていた。
【０００７】
これを改善するために、パネルの前面に減光フィルタを配置しパネル内に入射する外光を減らすことによってコントラスト比を向上させることができるが、その場合、蛍光体層１１からの表示発光も減衰し表示輝度が低下するため、減光フィルタの透過率をあまり小さくできない。また、前面基板１の各放電セル上に蛍光体層１１の表示色と同じ色のカラーフィルタを設けることによって、コントラスト比と表示色の色純度を改善する場合には、製造時のアライメントマージンが低下するため歩留まりが低下してしまう。さらに、１つの放電セルに占める遮光層４の面積比を増加させることによってコントラスト比を向上させることができるが、その場合、放電セルの開口率が低下し表示輝度も低下するため、実用的な輝度を保持したままコントラスト比のみを向上させることが困難である。
【０００８】
本発明はこのような課題を解決するためになされたものであり、コントラスト比の高い高画質で高精細なプラズマディスプレイパネルを実現することを目的とする。
【０００９】
【課題を解決するための手段】
この目的を達成するために、本発明のプラズマディスプレイパネルは、対向配置した基板間に複数の隔壁を設けるとともに、一方の基板上に前記隔壁と垂直な方向に複数の遮光層を設け、隣り合った前記隔壁と隣り合った前記遮光層とにより画定される領域に放電セルが構成されたプラズマディスプレイパネルにおいて、走査電極と維持電極とを間に放電ギャップを設けて前記遮光層間に形成するとともに、前記走査電極および前記維持電極はそれぞれ、所定の間隔をあけて配置された複数の透明電極を形成してなり、かつ前記複数の透明電極のうち、前記放電ギャップに近い内側の透明電極であって、前記放電セルに入射した外光が放電セル内で反射されることによる反射光をパネルの垂直方向から見たときにその反射光の強度が高い領域に位置する透明電極上に金属電極を設けたものである。この構成により、反射光の強度を低下させることができる。
【００１０】
【発明の実施の形態】
以下、本発明の一実施の形態について図１〜図９の図面を用いて説明する。なお、図１０に示す部分と同一部分については同一番号を付している。
【００１１】
（実施の形態１）
図１は、本発明の実施の形態１にかかるプラズマディスプレイパネルにおいて、走査電極、維持電極、隔壁および遮光層の位置関係がわかるように示した概略平面図である。なお、本発明のプラズマディスプレイパネルが図１０に示した従来のパネルと異なる点は、走査電極および維持電極の構成であり、走査電極および維持電極はそれぞれ複数に分割されたストライプ状の透明電極を有し、放電ギャップに近い内側の透明電極上に金属電極（バス電極）を配置している。
【００１２】
図１に示すように、走査電極１３と維持電極１４は放電ギャップ１２（長さをＧとする）を間に設けて配置されている。走査電極１３は、所定の間隔Ｓをあけて配置された複数のストライプ状の透明電極１３ａ1、１３ａ2、１３ａ3（それぞれの幅をＬとする）と透明電極１３ａ2上に形成されたバス電極１３ｂ（幅をＷｅとする）とから構成されている。また、維持電極１４は、所定の間隔Ｓをあけて配置された複数のストライプ状の透明電極１４ａ1、１４ａ2、１４ａ3（それぞれの幅をＬとする）と透明電極１４ａ2上に形成されたバス電極１４ｂ（幅をＷｅとする）とから構成されている。なお、図１ではバス電極１３ｂ、１４ｂはハッチングをして示している。
【００１３】
バス電極１３ｂ、１４ｂはＣｒ／Ｃｕ／Ｃｒ積層薄膜により構成しており、次のような方法により形成する。まず前面基板１上に、所定のパターン形状の遮光層４および透明電極１３ａ1、１３ａ2、１３ａ3、１４ａ1、１４ａ2、１４ａ3を形成する。次に、Ｃｒ薄膜、Ｃｕ薄膜およびＣｒ薄膜をスパッタリング法によって順次成膜してＣｒ／Ｃｕ／Ｃｒ積層薄膜を形成し、その上にレジスト層を形成する。その後、フォトマスクによってバス電極のパターンを露光し、レジスト層を現像した後にＣｒ／Ｃｕ／Ｃｒ積層薄膜の不要部分（バス電極１３ｂ、１４ｂとなる領域以外の部分）をケミカルエッチング法によって除去しパターニングを行う。この方法により走査電極１３および維持電極１４を形成する。誘電体層５等のその他の部材は従来と同様の方法により形成する。
【００１４】
このような構成の走査電極１３および維持電極１４等が形成された前面基板１と、従来のパネルと同様な所定の部材が形成された背面基板７とを対向配置し周囲を封止してパネルを構成する。前面基板１と背面基板７との間に形成される放電空間には、Ｘｅを５％含むＮｅとＸｅの混合ガスを５００Ｔｏｒｒ程度の圧力で封入している。また、放電空間は、隔壁１０によって複数の区画に仕切られており、走査電極１３と維持電極１４とからなる放電電極対とデータ電極９との交差部に放電セルが形成される。すなわち放電セルは、図１において一点鎖線で示した領域１８に形成され、この領域は隣り合った隔壁１０と隣り合った遮光層４とによって画定される。そして各放電セルには、赤色、緑色および青色となるように蛍光体層１１が一色ずつ順次配置されている。
【００１５】
次に、このパネルを駆動する方法について図２および図３を用いて説明する。図２は本発明のパネルを用いたプラズマディスプレイ装置のブロック概念図であり、図３はパネルの各電極に印加される駆動波形の一例を示す波形図である。
【００１６】
図２に示すように、このパネル本体の電極配列は、Ｍ行×Ｎ列の放電セルからなるマトリクス構成であり、行方向にはＭ行の走査電極１３（符号ＳＣ1〜ＳＣMで表す）および維持電極１４（符号ＳＵ1〜ＳＵMで表す）が配列され、列方向にはＮ列のデータ電極９（符号Ｄ1〜ＤNで表す）が配列されている。走査電極ＳＣ1〜ＳＣMおよび維持電極ＳＵ1〜ＳＵMはそれぞれ走査電極駆動装置および維持電極駆動装置により駆動され、データ電極Ｄ1〜ＤNはデータ電極駆動装置により駆動される。
【００１７】
次にこのパネルの表示動作について説明する。テレビ映像を表示する場合、ＮＴＳＣ方式において映像は、１秒間に６０枚のフィールドで構成されている。パネルで画像表示を行う場合、一定の強さをもつ発光パルスの数を例えば１、２、４、８、１６、３２、６４、１２８のようにバイナリで重み付けした８つのサブフィールドによって１フィールドを構成し、その組み合わせによって中間色を表現している。１フィールドを８つのサブフィールドで構成した場合、赤（Ｒ）、緑（Ｇ）、青（Ｂ）の各色はそれぞれ２５６階調を表現することができ、約１６７７万色の表示ができる。
【００１８】
また、更に高画質化するためにサブフィールドの数を増加させ、階調を表示するためのサブフィールドの重み付けの組み合わせを複数用いることによって、動画表示時の視線移動によって発生する擬似輪郭を低減する方法が用いられる。
【００１９】
図３は１つのサブフィールドにおけるパネルの駆動波形を示しており、サブフィールドは初期化期間、書き込み期間、維持期間および消去期間から構成されている。
【００２０】
図３に示すように、初期化期間において走査電極ＳＣ1〜ＳＣMに初期化パルスを印加し、放電セル内の壁電荷を初期化する。次に書き込み期間において、１番目の走査電極ＳＣ1に走査パルスを印加するとともに、表示を行う放電セルに対応するデータ電極Ｄ1〜ＤNに書き込みパルスを印加して書き込み放電を行い誘電体層５表面に壁電荷を蓄積する。次に２番目の走査電極ＳＣ2に走査パルスを印加するとともに、表示を行う放電セルに対応するデータ電極Ｄ1〜ＤNに書き込みパルスを印加して書き込み放電を行い誘電体層５表面に壁電荷を蓄積する。以降同様に走査電極ＳＣ3〜ＳＣMを順次走査して、表示を行う放電セルの誘電体層５表面に壁電荷を蓄積することによって１画面分の画像情報を書き込む。
【００２１】
次に維持期間において、維持放電を行うために、データ電極Ｄ1〜ＤNを接地し、すべての走査電極ＳＣ1〜ＳＣMと維持電極ＳＵ1〜ＳＵMとに交互に維持パルスを印加することによって、誘電体層５表面に壁電荷が蓄積された放電セル（画像情報が書き込まれた放電セル）では維持放電が発生し、維持パルスが印加される間放電が維持される。その後の消去期間において、幅の狭い消去パルスを維持電極ＳＵ1〜ＳＵMに印加することによって不完全な放電が発生し壁電荷が消滅するため消去が行われる。
【００２２】
次に、図１に示した電極構成を有する本発明の実施の形態１によるパネルを用いて、外光による反射輝度（外光反射輝度）を測定した結果について説明する。ここで、画素ピッチＰ＝１．０８ｍｍ、放電ギャップ１２の長さＧ＝８０μｍ、透明電極１３ａ1、１３ａ2、１３ａ3、１４ａ1、１４ａ2、１４ａ3それぞれの幅Ｌ＝４０μｍ、透明電極間の間隔Ｓ＝８０μｍ、バス電極１３ｂ、１４ｂそれぞれの幅Ｗｅ＝３５μｍ、遮光層４の幅Ｗｂｓ＝１００μｍとした。
【００２３】
また、従来のパネルを用いて外光反射輝度を測定した。図９は、従来パネルにおいて、走査電極、維持電極、隔壁および遮光層の位置関係がわかるように示した概略平面図であり、一点鎖線で示した領域１８は放電セルの領域を示している。測定に用いた従来のパネルでは、画素ピッチＰ＝１．０８ｍｍ、透明電極２ａ、３ａそれぞれの幅Ｌａ＝３７０μｍ、バス電極２ｂ、３ｂそれぞれの幅Ｗａ＝８０μｍ、遮光層４の幅Ｗｂｓ＝１００μｍとした。
【００２４】
上記のような本発明および従来のパネルの表面に対し斜め４５°上方に照明装置を配置し、パネル表面上の垂直照度が１５０ｌｘとしたときの外光反射輝度を測定した結果を表１に示す。
【００２５】
【表１】
0003937801.tif 000002
【００２６】
表１において、従来例は従来パネルの測定結果であり、実施例１は本発明の実施の形態１によるパネルの測定結果である。表１から明らかなように、従来例に比べて実施例１の方が、外光反射輝度が１割程度低下していることがわかる。これは、バス電極１３ｂ、１４ｂを、従来パネルに比べて放電ギャップ１２側に近い位置に配置形成したことによるものと考えられる。
【００２７】
一般に、プラズマディスプレイパネルに使用される蛍光体は、可視光に対してほぼランバート散乱に近い散乱特性を有することが知られている。このため、室内照明光などパネルの外部から斜めに放電セル内に入射した光の大半は、蛍光体層１１表面で散乱反射され、一部がパネルの裏面へ透過する。この蛍光体層１１表面で散乱された光は、散乱面に対して半球状に拡散し、その大半は直接パネルの外に取り出され、一部が隔壁１０の側壁上の蛍光体層１１等に入射し、さらに散乱するというように多重散乱を繰り返すと考えられる。このため、放電セルに入射した外光がパネルの外に取り出される際には、パネルの垂直方向から見た外光反射輝度の分布は、放電セルの開口部の中央部（遮光層４間の中央部）が高くなる山形の分布特性となる。
【００２８】
また、遮光層４やバス電極１３ｂ、１４ｂ等の不透明な部分は、外光が放電セルに入射する際の遮光体となり、その陰が放電セル内の蛍光体層１１表面に映り開口部から入射した外光が放電セル内で散乱されることになる。従来パネルに比べてバス電極１３ｂ、１４ｂを放電セルの中央部（遮光層４間の中央部）寄りに配置することによって、従来パネルに比べて放電セルの中央部付近にバス電極１３ｂ、１４ｂの陰を落とすことになり、その陰によって反射光を少なくすることができたと考えられる。
【００２９】
図４は、図１に示した電極配置のパネルに対し、斜め上から放電セル内に入射した外光が遮光層４またはバス電極１３ｂ、１４ｂによって遮られ、蛍光体層１１の表面に落とす陰の様子を模式的に表した断面図である。図４中の破線矢印は放電セルに入射する外光を表している。また、パネルの垂直方向から見たとき、遮光層４またはバス電極１３ｂ、１４ｂが存在する領域を領域Ａとして示し、遮光層４またはバス電極１３ｂ、１４ｂが蛍光体層１１の表面に落とす陰となる領域を領域Ｂとして示している。この領域Ａおよび領域Ｂは外光反射輝度が低くなっている領域である。
【００３０】
この図４を参照するとともに、バス電極１３ｂ、１４ｂを遮光層４側に近づけて設けた従来のパネルを考慮すれば、パネルの垂直方向から見たとき、バス電極を放電セルの端部に設けるよりも中央部分に近づけた方が、領域Ａと領域Ｂとの重なりが少なくなるとともに、領域Ａおよび領域Ｂが放電セルの中央部寄りになるので、外光反射輝度が低下することがわかる。
【００３１】
これらのことから、実施の形態１における電極構成のように、パネルの外部から放電セルに入射した外光が放電セル内で反射されることによる反射光をパネルの垂直方向から見たときにその反射光の強度が高い領域に位置する透明電極上にバス電極（金属電極）１３ｂ、１４ｂを形成したことによって、強度の高い部分の反射光を遮ることになり、外光反射輝度が低下しコントラスト比を向上させることができる。
【００３２】
図５は、本実施の形態１による構成のパネルにおいて、走査電極１３と維持電極１４との間に印加する駆動電圧波形とそのときに流れる放電電流波形の時間変化を示す波形図である。この図から明らかなように、実施の形態１による電極構成では放電電流波形のピークは１つであり、１回の駆動パルスによる放電発光が１μｓ以内に終了するとともに、駆動パルスが立ち上がってから放電電流が最大値を示すまでの時間即ち放電遅れ時間が約０．２μｓ程度と短く、数μｓ程度での高速駆動が可能であることがわかる。また、走査電極１３および維持電極１４を複数のストライプ状の電極から構成することによって、全電極面積が減少するため放電セルの容量が減少し従来パネルの場合よりも放電電流のピーク値を小さくすることができ、駆動回路の負荷を軽減できるとともに消費電力を低減することができる。
【００３３】
また、透明電極間の間隔Ｓと放電ギャップ１２の長さＧとの差（Ｓ−Ｇ）を大きくしていくと、放電電流波形のピークが１つであったものが２つに分裂し、放電遅れ時間が増加するとともに放電遅れ時間のバラツキが増加するため、高速駆動が困難となる。本実施の形態の場合には、（Ｓ−Ｇ）≦１０μｍであれば、放電電流波形のピークは１つとなり高速駆動が可能であった。これは、第１電極間ギャップ（透明電極１３ａ1と透明電極１３ａ2との間、透明電極１４ａ1と透明電極１４ａ2との間）は放電ギャップ１２に隣接しているため、透明電極が離散的に配置されているにも関わらず放電プラズマが十分に広がり、この際に発生するイオンや準安定粒子などによるプライミング効果によって第２電極間ギャップ（透明電極１３ａ2と透明電極１３ａ3との間、透明電極１４ａ2と透明電極１４ａ3との間）においても放電が持続し最も外側の電極（透明電極１３ａ3、１４ａ3）まで放電プラズマが連続的に広がり、放電電流波形が単一ピークとなったと考えられる。
【００３４】
なお、本実施の形態においては、放電セルの各部分の寸法を、画素ピッチＰ＝１．０８ｍｍ、放電ギャップ１２の長さＧ＝８０μｍ、透明電極１３ａ1、１３ａ2、１３ａ3、１４ａ1、１４ａ2、１４ａ3それぞれの幅Ｌ＝４０μｍ、透明電極間の間隔Ｓ＝８０μｍ、バス電極１３ｂ、１４ｂそれぞれの幅Ｗｅ＝３５μｍとしたが、これに限定されるものではなく、０．５ｍｍ≦Ｐ≦１．４ｍｍ、６０μｍ≦Ｇ≦１４０μｍ、１０μｍ≦Ｌ≦６０μｍ、５０≦Ｓ≦１４０μｍ、１０μｍ≦Ｗｅ≦６０μｍの範囲であっても同様の効果を得ることができる。
【００３５】
また、本実施の形態においては、分割した各電極はすべて同じ幅として説明したが、分割した各電極の幅が異なる場合であっても本発明を実施することにより同様の効果を得ることができる。この場合、分割した電極を均等な間隔で配置したり、電極ピッチが同じになるように配置するなど、適宜配置すればよい。
【００３６】
（実施の形態２）
図６は、本発明の実施の形態２によるパネルにおいて、走査電極、維持電極、隔壁および遮光層の位置関係がわかるように示した概略平面図である。実施の形態１の電極構成との違いは、走査電極および維持電極をそれぞれ４本のストライプ状の透明電極で構成し、各透明電極間の間隔を放電ギャップから遠ざかるにしたがって徐々に狭くしていることである。
【００３７】
図６に示すように、走査電極１５および維持電極１６は放電ギャップ１７（長さをＧとする）を間に設けて配置されている。走査電極１５は、複数のストライプ状の透明電極１５ａ1、１５ａ2、１５ａ3、１５ａ4（それぞれの幅をＬとする）と透明電極１５ａ3上に形成されたバス電極１５ｂ（幅をＷｅとする）とから構成されている。また、維持電極１６は、複数のストライプ状の透明電極１６ａ1、１６ａ2、１６ａ3、１６ａ4（それぞれの幅をＬとする）と透明電極１６ａ3上に形成されたバス電極１６ｂ（幅をＷｅとする）とから構成されている。バス電極１５ｂ、１６ｂはハッチングをして示している。
【００３８】
透明電極１５ａ1と透明電極１５ａ2との間の距離および透明電極１６ａ1と透明電極１６ａ2との間の距離を第１電極間隔Ｓ1とし、透明電極１５ａ2と透明電極１５ａ3との間の距離および透明電極１６ａ2と透明電極１６ａ3との間の距離を第２電極間隔Ｓ2とし、透明電極１５ａ3と透明電極１５ａ4との間の距離および透明電極１６ａ3と透明電極１６ａ4との間の距離を第３電極間隔Ｓ3とする。そして、Ｓ1＞Ｓ2＞Ｓ3としている。
【００３９】
本実施の形態では、第１電極間隔Ｓ1、第２電極間隔Ｓ2および第３電極間隔Ｓ3の平均である平均電極間隔Ｓave＝（Ｓ1＋Ｓ2＋Ｓ3）／３を放電ギャップ１７の長さＧ以下に設定するとともに、従来パネルの透明電極幅に相当する最も内側の電極（透明電極１５ａ1、１６ａ1）から最も外側の電極（透明電極１５ａ4、１６ａ4）までの距離、すなわち等価電極幅を広げている。これにより放電セルの端部に電界強度分布を広げかつ放電セルの中央部の開口を広げることによって、放電を走査電極１５および維持電極１６の外側まで広げ、可視光の取り出し効率を向上させている。
【００４０】
次に、本実施の形態によるパネルを用いて、外光反射輝度を測定した結果について説明する。ここで、画素ピッチＰ＝１．０８ｍｍ、放電ギャップ１７の長さＧ＝８０μｍ、透明電極１５ａ1、１５ａ2、１５ａ3、１５ａ4、１６ａ1、１６ａ2、１６ａ3、１６ａ4それぞれの幅Ｌ＝４０μｍ、第１電極間隔Ｓ1＝９０μｍ、第２電極間隔Ｓ2＝７０μｍ、第３電極間隔Ｓ3＝５０μｍ、バス電極１５ｂ、１６ｂそれぞれの幅Ｗｅ＝３５μｍ、遮光層４の幅Ｗｂｓ＝１００μｍとした。上記のように、透明電極間の間隔（第１電極間隔Ｓ1、第２電極間隔Ｓ2および第３電極間隔Ｓ3）を放電ギャップ１７側から等差級数的に減少するように設定している。
【００４１】
このような本実施の形態によるパネルおよび実施の形態１で測定に使用したものと同じ従来のパネルについて、パネルの表面に対し斜め４５°上方に照明装置を配置し、パネル表面上の垂直照度が１５０ｌｘとしたときの外光反射輝度を測定した結果を表２に示す。
【００４２】
【表２】
0003937801.tif 000003
【００４３】
表２において、相対外光反射輝度は従来例の場合の外光反射輝度を１とした相対値で表している。従来例は従来パネルの測定結果である。また、実施例２〜実施例５は本実施の形態２によるパネルの測定結果であり、それぞれバス電極１５ｂ、１６ｂを表２に示す透明電極上に配置した場合である。
【００４４】
表２からわかるように、バス電極１５ｂ、１６ｂの位置が放電セルの中央に近いほど外光反射輝度が低減しているが、実施例２のようにバス電極１５ｂ、１６ｂの位置を放電ギャップ１７に最も近づけた場合、すなわち透明電極１５ａ1、１６ａ1上にそれぞれバス電極１５ｂ、１６ｂを配置した場合には実施例３に比べてコントラストが低下している。これは、バス電極１５ｂ、１６ｂの位置が放電ギャップ１７に近づくにつれて放電による発光を遮る割合が多くなり、発光輝度分布の高い部分を遮光してしまうため表示輝度が低下し、その結果コントラスト比が低下したものと考えられる。
【００４５】
しかしながら、バス電極１５ｂ、１６ｂを内側（放電ギャップ１７側）から２番目に配置された透明電極１５ａ2、１６ａ2上あるいは３番目に配置された透明電極１５ａ3、１６ａ3上に配置した場合においては、輝度低下があまりなく外光反射輝度が低下しているためコントラスト比が向上している。
【００４６】
本実施の形態のように走査電極１５および維持電極１６が複数に分割された離散的な電極構造の場合、分割形成されたストライプ状の各透明電極の断線による不良を防止するために隣り合う透明電極の間を電気的に接続するためのショートバーが必要となるが、このショートバーの線幅がストライプ状の透明電極と同程度であるため比較的抵抗値が高くなる。したがって、最も外側の透明電極１５ａ4、１６ａ4上にバス電極１５ｂ、１６ｂが形成されている場合には、放電ギャップ１７に電流を供給するための損失が大きくなりギャップ電圧が低下すると考えられる。
【００４７】
一方、バス電極１５ｂ、１６ｂを内側から２番目に配置された透明電極１５ａ2、１６ａ2上あるいは３番目に配置された透明電極１５ａ3、１６ａ3上に配置形成した電極構成を用いることによって、バス電極１５ｂ、１６ｂから放電ギャップ１７までの距離が短縮されるためこれらの電極の抵抗損失による電圧降下が低減され、放電ギャップ１７に印加される実質的な放電電圧が増加するため電界が増し、輝度が向上したと考えられる。
【００４８】
以上から、このような走査電極１５および維持電極１６がそれぞれ４つに分割された離散的な電極構成の場合においては、バス電極１５ｂ、１６ｂを、内側から２番目あるいは３番目に配置された透明電極上に配置した電極構成の場合表示特性が向上し、特に内側から２番目に配置された透明電極上にバス電極１５ｂ、１６ｂを配置した電極構成の場合、最も表示特性が向上することがわかった。なお、バス電極１５ｂを透明電極１５ａ2、１５ａ3上に配置し、バス電極１６ｂを透明電極１６ａ2、１６ａ3上に配置してもよい。このときのバス電極１５ｂ、１６ｂの幅は、１つの透明電極上に配置する場合におけるバス電極１５ｂ、１６ｂの幅に比べて小さく設定すればよい。
【００４９】
図７は、本実施の形態によるパネルで走査電極１５と維持電極１６との間に駆動電圧を印加したときの放電電流波形を調べたときの結果である。横軸には平均電極間隔Ｓave＝（Ｓ1＋Ｓ2＋Ｓ3）／３と放電ギャップ１７の長さＧとの差（Ｓave−Ｇ）をとり、縦軸には各電極間隔の差△Ｓ（＝Ｓ1−Ｓ2＝Ｓ2−Ｓ3）をとっている。図７中で斜線を引いた領域は放電電流波形のピークが１つとなる領域であり、その領域以外ではピークが２つ以上となる。この図７からわかるように、平均電極間隔Ｓaveが放電ギャップ１７の長さＧよりも１０μｍ程度広くても、各電極間隔差△Ｓが１０μｍ以下であれば、放電ピークは単一となり高速駆動が可能となる。これは、第１電極間隔Ｓ1の領域は放電ギャップ１７に隣接しているため、放電ギャップ１７の長さＧよりも若干大きくても放電プラズマは十分に広がり、第２電極間隔Ｓ2が平均電極間隔Ｓaveと同程度であり、第３電極間隔Ｓ3が平均電極間隔Ｓaveより狭く、それぞれの間隔が等差級数的に減少することによって放電セル内の電界強度分布の連続性が向上し電界が最も外側の電極まで広がるために、放電プラズマが最も外側の電極部分まで十分に広がり易く、放電が連続的に持続するため放電電流ピークが単一となったと考えられる。
【００５０】
実施の形態１による電極構成と実施の形態２による電極構成のパネルにおける電力−輝度特性を図８（ａ）に示し、維持電圧−電力特性を図８（ｂ）に示す。これらの特性は、約４０００画素を表示点灯させて得られたものであり、図８（ａ）においてグラフの傾きは効率を意味する。これら２つの電極構成は、前述したように外光反射輝度を測定したものと同じであり、実施の形態２の電極構成においてはバス電極１５ｂ、１６ｂをそれぞれ２本目の透明電極１５ａ2、１６ａ2上に配置している。図８において、曲線ａは実施の形態１による電極構成の場合を表し、曲線ｂは実施の形態２による電極構成の場合を表している。
【００５１】
図８（ａ）から明らかなように、実施の形態２のように走査電極１５および維持電極１６を４本のストライプ状電極で構成した電極構成の場合の電力−輝度特性曲線ｂは、実施の形態１のように走査電極１３および維持電極１４を３本のストライプ状電極で構成した電極構成の電力−輝度特性曲線ａとほぼ重なっており、その延長線上にあることが分かる。しかし、図８（ｂ）に示すように、同一駆動電圧においては、３本のストライプ状電極構成の場合は、４本のストライプ状電極構成の場合よりも投入電力が低く輝度も低い。これはすなわち、画像を表示する際に同じ電力をパネルに投入すれば同一の輝度を得ることができるが、同一の電力を投入するために必要な駆動電圧は、４本のストライプ状電極構成の場合に比べて３本のストライプ状電極構成の場合の方が高い電圧が必要であることが分かる。
【００５２】
一般にプラズマディスプレイパネルにおいては、大面積の容量性負荷を数百Ｖの高電圧でパルス駆動するため、パネル容量を充放電する際の無効電力が大きくプラズマディスプレイパネル全体での消費電力に占める割合が大きく、低消費電力化の際に大きな課題となっていた。この無効電力Ｐrpは、
Ｐrp＝Ｃ×ｆ×Ｖｓ2
（Ｃ：パネル容量、ｆ：駆動周波数、Ｖｓ：駆動電圧）
で決まり、駆動電圧が増加するとその２乗で無効電力Ｐrpが増加するため、消費電力を削減するためには、駆動電圧の低電圧化が望まれていた。このため、実施の形態２による構成において、走査電極１５および維持電極１６を４本のストライプ状電極で構成することによって、より低い駆動電圧においても十分な輝度を得ることが可能となり、駆動電圧の低下による無効電力の削減によってプラズマディスプレイパネルの消費電力を低減することが可能となる。
【００５３】
これらのことから、走査電極と維持電極とはそれぞれ所定の間隔をあけて配置されたｎ個の透明電極を有し、これらｎ個の透明電極のうち放電ギャップ側から２番目ないし（ｎ−１）番目に位置する透明電極上に金属電極を設けることによって、放電セルに入射した外光が放電セル内で反射されることによる反射光をパネルの垂直方向から見たときにその反射光の強度が高い領域に位置する透明電極上にバス電極（金属電極）を配置することになり、反射光を効率的に遮るとともに明所コントラストが高く優れた画質のプラズマディスプレイパネルを実現できる。また、維持放電を行うための走査電極１５および維持電極１６として複数に分割された電極構造を使用しているにもかかわらず、従来と同様に放電電流波形のピークは複数ではなく１つであり高速駆動が可能である。
【００５４】
なお、実施の形態２においては、放電セルの各部分の寸法を、画素ピッチＰ＝１．０８ｍｍ、放電ギャップ１７の長さＧ＝８０μｍ、透明電極の幅Ｌ＝４０μｍ、第１電極間隔Ｓ1＝９０μｍ、第２電極間隔Ｓ2＝７０μｍ、第３電極間隔Ｓ3＝５０μｍ、バス電極１５ｂ、１６ｂの幅Ｗｅ＝３５μｍとしたが、これに限定されるものではなく、０．５ｍｍ≦Ｐ≦１．４ｍｍ、７０μｍ≦Ｇ≦１２０μｍ、１０μｍ≦Ｌ≦６０μｍ、８０≦Ｓ1≦１３０μｍ、６０≦Ｓ2≦１２０μｍ、４０≦Ｓ3≦１１０μｍ、１０μｍ≦Ｗｅ≦６０μｍの範囲であっても同様な効果が得られる。また、分割された各透明電極間の電極間隔を、放電ギャップ１７側から遮光層４側にいくにしたがって等差級数的に減少させて配置した電極構成を用いているが、電極間隔を等差級数的に減少させる必要はない。
【００５５】
実施の形態１および２においては、電極材料として、金属薄膜であるＣｒ／Ｃｕ／Ｃｒを用いているが、この構成に限定されるものではなく、Ｐｔ，Ａｕ，Ａｇ，Ａｌ，ＮｉＣｒ等の金属薄膜や、Ａｇ，Ａｇ／Ｐｄ，Ｃｕ，Ｎｉ等の金属粉末を有機ビヒクルに分散させた厚膜ペーストを、印刷法等によってパターニングし焼成した厚膜電極を用いてもよい。また、表示領域内でストライプ状の透明電極を互いに接続する接続部をランダムに配置した電極構成を用いてもよい。
【００５６】
【発明の効果】
以上のように、本発明によれば、パネルの外部から入射した外光による反射光による反射輝度を低減することができ、明所でのコントラストを改善し高輝度、高画質で優れたプラズマディスプレイパネルを実現することができる。
【図面の簡単な説明】
【図１】本発明の実施の形態１によるプラズマディスプレイパネルにおいて、走査電極、維持電極、隔壁および遮光層の位置関係がわかるように示した概略平面図
【図２】本発明のプラズマディスプレイパネルを用いた画像表示装置の駆動回路のブロック図
【図３】本発明のプラズマディスプレイパネルの駆動方法のタイミングチャート
【図４】本発明の実施の形態１によるプラズマディスプレイパネルにおいて、遮光層およびバス電極によって蛍光体層の表面に発生する陰を模式的に表した断面図
【図５】本実施の形態１のプラズマディスプレイパネルにおける駆動電圧波形と放電電流波形を示す波形図
【図６】本発明の実施の形態２によるプラズマディスプレイパネルにおいて、走査電極、維持電極、隔壁および遮光層の位置関係がわかるように示した概略平面図
【図７】本発明の実施の形態２によるプラズマディスプレイパネルの放電電流波形を調べたときの特性図
【図８】（ａ）は本発明のプラズマディスプレイパネルの電力と輝度の関係を示す特性図
（ｂ）は本発明のプラズマディスプレイパネルの維持電圧と電力の関係を示す特性図
【図９】従来のプラズマディスプレイパネルにおいて、走査電極、維持電極、隔壁および遮光層の位置関係がわかるように示した概略平面図
【図１０】従来のプラズマディスプレイパネルの要部を示す斜視図
【符号の説明】
１  前面基板
２、１３、１５  走査電極
３、１４、１６  維持電極
４  遮光層
５  誘電体層
６  保護膜
７  背面基板
８  絶縁体層
９  データ電極
１０  隔壁
１１  蛍光体層
１２、１７  放電ギャップ
【図１】
0003937801.tif 000004
【図２】
0003937801.tif 000005
【図３】
0003937801.tif 000006
【図４】
0003937801.tif 000007
【図５】
0003937801.tif 000008
【図６】
0003937801.tif 000009
【図７】
0003937801.tif 000010
【図８】
0003937801.tif 000011
【図９】
0003937801.tif 000012
【図１０】
0003937801.tif 000013